(57)【要約】【課題】入力画像の分割画像データを並列処理する画像表示装置において、表示画面の表示サイズより大きなサイズの画像が入力されても、入力画像の全体を表示画面で確認することができるようにする。【解決手段】画像表示装置１０は、互いに隣接する第１及び第２表示領域を含む表示画面を有する表示部３と、第１画像処理部２１及び第２画像処理部２２を有する信号処理部２と、制御部４とを備える構成とする。そして、表示画像を表示画面に対して移動させた際に、第１及び第２表示領域間で移動した領域のシフト画像のデータを第１画像処理部２１及び第２画像処理部２２間で送受信して、表示画像を生成する。【選択図】図５
2011090210.tif 000002
【特許請求の範囲】
【請求項１】
互いに隣接する第１及び第２表示領域を含む表示画面を有する表示部と、
前記第１表示領域から前記第２表示領域に向かう第１方向における前記表示画面の表示サイズより前記第１方向におけるサイズが大きい入力画像に含まれ且つ前記第１方向に沿って隣接する第１及び第２分割画像のうち、前記第１分割画像のデータが入力され、前記第１表示領域に表示される第１表示画像を生成し且つ該第１表示画像のデータを前記表示部に出力する第１画像処理部、並びに、前記第２分割画像のデータが入力され、前記第２表示領域に表示される第２表示画像を生成し且つ該第２表示画像のデータを前記表示部に出力する第２画像処理部を有し、前記表示画面に表示される表示画像が前記表示画面に対して前記第１方向に移動した際には、前記第１表示領域から前記第２表示領域に移動した領域の第１シフト画像のデータを、前記第１画像処理部から前記第２画像処理部に送信し、前記第１画像処理部が、前記表示画像の移動に関する情報及び前記第１分割画像のデータに基づいて前記第１表示画像を生成し、且つ、前記第２画像処理部が、前記表示画像の移動に関する情報、前記第２分割画像のデータ及び前記第１シフト画像のデータに基づいて前記第２表示画像を生成し、前記表示画像が前記表示画面に対して前記第１方向とは逆の第２方向に移動した際には、前記第２表示領域から前記第１表示領域に移動した領域の第２シフト画像のデータを、前記第２画像処理部から前記第１画像処理部に送信し、前記第１画像処理部が、前記表示画像の移動に関する情報、前記第１分割画像のデータ及び前記第２シフト画像のデータに基づいて前記第１表示画像を生成し、且つ、前記第２画像処理部が、前記表示画像の移動に関する情報及び前記第２分割画像のデータに基づいて前記第２表示画像を生成する信号処理部と、
前記表示画像の移動に関する情報を前記信号処理部に出力し、前記信号処理部における前記第１及び第２シフト画像のデータの送受信動作、並びに、前記第１表示画像及び前記第２表示画像の生成動作を制御する制御部と
を備える画像表示装置。
【請求項２】
前記第１画像処理部が、前記第１シフト画像のデータを送信する第１送信部と、前記第２シフト画像のデータを受信する第１受信部とを有し、
前記第２画像処理部が、前記第２シフト画像のデータを送信する第２送信部と、前記第１シフト画像のデータを受信する第２受信部とを有する
請求項１に記載の画像表示装置。
【請求項３】
前記第１画像処理部が、前記第１シフト画像を生成する第１送信画像生成部と、前記第１表示画像を生成する第１表示画像生成部とを有し、
前記第２画像処理部が、前記第２シフト画像を生成する第２送信画像生成部と、前記第２表示画像を生成する第２表示画像生成部とを有する
請求項１に記載の画像表示装置。
【請求項４】
さらに、前記入力画像から前記第１分割画像及び第２分割画像を生成する入力部を備える
請求項１に記載の画像表示装置。
【請求項５】
前記表示画面が、前記第１表示領域と前記第１方向と直交する方向に隣接する第３表示領域と、前記第２表示領域と前記第１方向と直交する方向に隣接し且つ前記第３表示領域と前記第１方向に隣接する第４表示領域とを有し、
前記入力画像が、前記第１分割画像と前記第１方向と直交する方向に隣接する第３分割画像と、前記第２分割画像と前記第１方向と直交する方向に隣接し且つ前記第３分割画像と前記第１方向に隣接する第４分割画像とを有し、
信号処理部が、さらに、前記第３分割画像のデータが入力され、前記第３表示領域に表示される第３表示画像を生成し且つ該第３表示画像のデータを前記表示部に出力する第３画像処理部、並びに、前記第４分割画像のデータが入力され、前記第４表示領域に表示される第４表示画像を生成し且つ該第４表示画像のデータを前記表示部に出力する第４画像処理部を有し、
前記表示画像が前記表示画面に対して前記第１方向に移動した際には、前記第３表示領域から前記第４表示領域に移動した領域の第３シフト画像のデータを、前記第３画像処理部から前記第４画像処理部に送信し、前記第３画像処理部が、前記表示画像の移動に関する情報及び前記第３分割画像のデータに基づいて前記第３表示画像を生成し、且つ、前記第４画像処理部が、前記表示画像の移動に関する情報、前記第４分割画像のデータ及び前記第３シフト画像のデータに基づいて前記第４表示画像を生成し、
前記表示画像が前記表示画面に対して前記第２方向に移動した際には、前記第４表示領域から前記第３表示領域に移動した領域の第４シフト画像のデータを、前記第４画像処理部から前記第３画像処理部に送信し、前記第３画像処理部が、前記表示画像の移動に関する情報、前記第３分割画像のデータ及び前記第４シフト画像のデータに基づいて前記第３表示画像を生成し、且つ、前記第４画像処理部が、前記表示画像の移動に関する情報及び前記第４分割画像のデータに基づいて前記第４表示画像を生成し、
前記制御部が、さらに、前記信号処理部における前記第３及び第４シフト画像のデータの送受信動作、並びに、前記第３表示画像及び前記第４表示画像の生成動作を制御する
請求項１に記載の画像表示装置。
【請求項６】
前記表示画像に関する情報が、前記表示画像の移動方向及び移動量を含む
請求項１に記載の画像表示装置。
【請求項７】
互いに隣接する第１及び第２表示領域を含む表示画面を有する表示部と、
前記第１表示領域から前記第２表示領域に向かう第１方向における前記表示画面の表示サイズより前記第１方向におけるサイズが大きい入力画像に含まれ且つ前記第１方向に沿って隣接する第１及び第２分割画像のうち、前記第１分割画像のデータが入力され、前記第１表示領域に表示される第１表示画像を生成し且つ該第１表示画像のデータを前記表示部に出力する第１画像処理部、並びに、前記第２分割画像のデータが入力され、前記第２表示領域に表示される第２表示画像を生成し且つ該第２表示画像のデータを前記表示部に出力する第２画像処理部を有し、前記表示画面に表示される表示画像が前記表示画面に対して前記第１方向に移動した際には、前記第１表示領域から前記第２表示領域に移動した領域の第１シフト画像のデータを、前記第１画像処理部から前記第２画像処理部に送信し、前記第１画像処理部が、前記表示画像の移動に関する情報及び前記第１分割画像のデータに基づいて前記第１表示画像を生成し、且つ、前記第２画像処理部が、前記表示画像の移動に関する情報、前記第２分割画像のデータ及び前記第１シフト画像のデータに基づいて前記第２表示画像を生成し、前記表示画像が前記表示画面に対して前記第１方向とは逆の第２方向に移動した際には、前記第２表示領域から前記第１表示領域に移動した領域の第２シフト画像のデータを、前記第２画像処理部から前記第１画像処理部に送信し、前記第１画像処理部が、前記表示画像の移動に関する情報、前記第１分割画像のデータ及び前記第２シフト画像のデータに基づいて前記第１表示画像を生成し、且つ、前記第２画像処理部が、前記表示画像の移動に関する情報及び前記第２分割画像のデータに基づいて前記第２表示画像を生成する信号処理部と、
前記表示画像を前記表示画面に対して移動させる操作部と、
前記操作部の操作に基づいて、前記表示画像の移動に関する情報を前記信号処理部に出力し、前記信号処理部における前記第１及び第２シフト画像のデータの送受信動作、並びに、前記第１表示画像及び前記第２表示画像の生成動作を制御する制御部と
を備える電子機器。
【請求項８】
互いに隣接する第１及び第２表示領域を含む表示画面の前記第１表示領域から前記第２表示領域に向かう第１方向における前記表示画面の表示サイズより前記第１方向におけるサイズが大きい入力画像に含まれ且つ前記第１方向に沿って隣接する第１及び第２分割画像のうち、前記第１分割画像のデータを、前記第１表示領域に表示される第１表示画像を生成する第１画像処理部に入力し、且つ、前記第２分割画像のデータを、前記第２表示領域に表示される第２表示画像を生成する第２画像処理部に入力するステップと、
前記表示画面に表示される表示画像が前記第１方向に移動した際には、前記第１表示領域から前記第２表示領域に移動した領域の第１シフト画像のデータを、前記第１画像処理部から前記第２画像処理部に送信し、前記表示画像が前記表示画面に対して前記第１方向とは逆の第２方向に移動した際には、前記第２表示領域から前記第１表示領域に移動した領域の第２シフト画像のデータを、前記第２画像処理部から前記第１画像処理部に送信するステップと、
前記表示画像が前記表示画面に対して前記第１方向に移動した際には、前記第１画像処理部が、前記表示画像の移動に関する情報及び前記第１分割画像のデータに基づいて前記第１表示画像を生成し、且つ、前記第２画像処理部が、前記表示画像の移動に関する情報、前記第２分割画像のデータ及び前記第１シフト画像のデータに基づいて前記第２表示画像を生成するステップと、
前記表示画像が前記表示画面に対して前記第２方向に移動した際には、前記第１画像処理部が、前記表示画像の移動に関する情報、前記第１分割画像のデータ及び前記第２シフト画像のデータに基づいて前記第１表示画像を生成し、且つ、前記第２画像処理部が、前記表示画像の移動に関する情報及び前記第２分割画像のデータに基づいて前記第２表示画像を生成するステップと、
前記第１画像処理部及び前記第２画像処理部でそれぞれ生成された前記第１表示画像及び前記第２表示画像を、前記表示画面の前記第１表示領域及び前記第２表示領域にそれぞれ表示するステップと
を含む画像表示方法。
【発明の詳細な説明】
【技術分野】
【０００１】
本発明は、画像表示装置、電子機器及び画像表示方法に関し、より詳細には、入力画像の分割画像データを並列処理する画像表示装置及びそれを備える電子機器、並びに、画像表示方法に関する。
【背景技術】
【０００２】
従来、例えば動画、静止画等の画像（映像）を表示する種々の画像表示装置が開発されている。しかしながら、画像表示装置の表示サイズ（画面解像度）には様々な種類があり、画像表示装置に入力される画像（以下、単に入力画像という）のサイズ（画素数）にも様々な種類が存在する。それゆえ、画像表示装置の表示サイズと、入力画像のサイズとが一致しないことも多い。
【０００３】
そこで、従来、表示画面の縦及び／又は横の表示サイズより大きな縦及び／又は横のサイズの入力画像が画像表示装置に入力された際の表示技術が、種々提案されている。具体的には、例えば、画像を縮小して表示する手法、あるいは、表示画面に表示される画像（以下、単に表示画像という）を表示画面に対してスクロールして画像を映し出す手法（例えば、特許文献１〜４参照）が提案されている。
【０００４】
特許文献１には、表示画像のスクロール時に、表示画面の外に移動する部分の画像データのみを書き換えて表示する手法が提案されている。
【０００５】
特許文献２には、表示可能な画面サイズに相当する容量より大きなフレームメモリを画像表示装置に設け、入力画像全体をフレームメモリに一旦書き込み、そして、画面に表示する画像データをフレームメモリから部分的に読み出して表示する手法が提案されている。また、特許文献２では、画像データをフレームメモリから読み出す際に、その読み出し開始位置を変化させることにより、表示画像のスクロールを実現している。
【０００６】
特許文献３には、複数の表示装置を用いた展示装置において、表示画像のスクロールをスムースに行うための技術が提案されている。具体的には、まず、各表示装置（表示画面）に対応するバッファメモリを用意し、スクロールデータをそのバッファメモリに書き込む。そして、各表示装置（表示画面）に対応するバッファメモリから表示画像のデータを読み出して表示する。
【０００７】
また、特許文献４には、複数の表示画面を有する画像表示装置において、表示画面よりも大きなサイズの入力画像を確認可能な１つの画面メモリを設け、各表示画面に、画面メモリから対応する所定領域の表示データを読み出して表示する手法が提案されている。この手法では、各表示画面を連動させることにより表示画面のスクロールを実現している。
【先行技術文献】
【特許文献】
【０００８】
【特許文献１】特開平４−３１６０９３号公報
【特許文献２】特開平３−２５４９４号公報
【特許文献３】特開２００７−３３７５９号公報
【特許文献４】特開平６−１０２８５１号公報
【発明の概要】
【発明が解決しようとする課題】
【０００９】
上述のように、従来、入力画像の縦及び／又は横のサイズが画像表示装置の表示画面の縦及び／又は横の表示サイズより大きい場合において、様々な画像表示技術が提案されている。特に、上記特許文献１〜４では、主に、入力画像を一つのメモリで記憶し、そのメモリから所定の表示データを読み出す手法が提案されている。
【００１０】
しかしながら、上述したような従来の技術では、入力画像のサイズ（画素数）が大きくなると、まとめて処理する情報量も多くなる。例えば、４０９６ピクセル×２０４８ピクセルの表示サイズを有する画像表示装置では、２０４８ピクセル×１０８０ピクセルの表示サイズを有する画像表示装置に比べて、約４倍の情報量をまとめて処理しなければならない。それゆえ、入力画像のサイズが増大するたびに新規に、その入力画像に対応する画像表示装置（画像処理システム）を構築すると、莫大なコストがかかり、画像表示装置が高価になるという問題が生じる。
【００１１】
それゆえ、サイズのより大きな入力画像のデータを、より安価な画像処理システムで処理するためには、入力画像を分割して並列処理する必要がある。しかしながら、この画像処理システムでは分割画像データがそれぞれ独立して処理されるので、入力画像のサイズが表示画面の表示サイズより大きい場合には、表示画像を表示画面に対して移動させて（シフトさせて）入力画像全体を確認することできない。
【００１２】
本発明は、上記状況を鑑みなされたものである。本発明の目的は、入力画像の分割画像データを並列処理する画像表示装置、電子機器及び画像表示方法において、表示画面の縦及び／又は横の表示サイズより大きなサイズの画像が入力されても、入力画像の全体を表示画面で確認できるようにすることである。
【課題を解決するための手段】
【００１３】
上記課題を解決するために、本発明の画像表示装置は、互いに隣接する第１及び第２表示領域を含む表示画面を有する表示部と、信号処理部と、制御部とを備える構成とし、信号処理部及び制御部の構成及び機能は次の通りである。信号処理部には、第１表示領域から第２表示領域に向かう第１方向における表示画面の表示サイズより第１方向におけるサイズが大きい入力画像に含まれ且つ第１方向に沿って隣接する第１及び第２分割画像が入力される。また、信号処理部は、第１分割画像のデータが入力され、第１表示領域に表示される第１表示画像を生成し且つ該第１表示画像のデータを表示部に出力する第１画像処理部を有する。さらに、信号処理部は、第２分割画像のデータが入力され、第２表示領域に表示される第２表示画像を生成し且つ該第２表示画像のデータを表示部に出力する第２画像処理部を有する。また、信号処理部では、表示画面に表示される表示画像が表示画面に対して第１方向に移動した際には、第１表示領域から第２表示領域に移動した領域の第１シフト画像のデータを、第１画像処理部から第２画像処理部に送信する。この際、第１画像処理部が、表示画像の移動に関する情報及び第１分割画像のデータに基づいて第１表示画像を生成する。また、この際、第２画像処理部が、表示画像の移動に関する情報、第２分割画像のデータ及び第１シフト画像のデータに基づいて第２表示画像を生成する。逆に、表示画像が前記表示画面に対して第１方向とは逆の第２方向に移動した際には、第２表示領域から第１表示領域に移動した領域の第２シフト画像のデータを、第２画像処理部から第１画像処理部に送信する。この際、第１画像処理部が、表示画像の移動に関する情報、第１分割画像のデータ及び第２シフト画像のデータに基づいて第１表示画像を生成する。また、この際、第２画像処理部が、表示画像の移動に関する情報及び第２分割画像のデータに基づいて第２表示画像を生成する。そして、制御部は、表示画像の移動に関する情報を信号処理部に出力し、信号処理部における第１及び第２シフト画像のデータの送受信動作、並びに、第１表示画像及び第２表示画像の生成動作を制御する。
【００１４】
なお、本明細書でいう「画像」は、動画像だけでなく静止画像も含む意味である。
【００１５】
また、本発明の電子機器は、上記本発明の画像表示装置と、表示画像を表示画面に対して移動させる操作部とを備える構成とする。
【００１６】
さらに、本発明の画像表示方法は、互いに隣接する第１及び第２表示領域を含む表示画面の第１表示領域から第２表示領域に向かう第１方向における表示画面の表示サイズより第１方向におけるサイズが大きな入力画像を表示する方法である。本発明の画像表示方法における画像の表示手順は、次の通りとする。まず、入力画像に含まれ且つ第１方向に沿って隣接する第１及び第２分割画像のうち、第１分割画像のデータを、第１表示領域に表示される第１表示画像を生成する第１画像処理部に入力する。また、この際、第２分割画像のデータを、第２表示領域に表示される第２表示画像を生成する第２画像処理部に入力する。次いで、表示画面に表示される表示画像が第１方向に移動した際には、第１表示領域から第２表示領域に移動した領域の第１シフト画像のデータを、第１画像処理部から第２画像処理部に送信する。また、逆に、表示画像が表示画面に対して第１方向とは逆の第２方向に移動した際には、第２表示領域から第１表示領域に移動した領域の第２シフト画像のデータを、第２画像処理部から第１画像処理部に送信する。次いで、表示画像が表示画面に対して第１方向に移動した際には、第１画像処理部が、表示画像の移動に関する情報及び第１分割画像のデータに基づいて第１表示画像を生成する。また、この際、第２画像処理部が、表示画像の移動に関する情報、第２分割画像のデータ及び第１シフト画像のデータに基づいて第２表示画像を生成する。また、逆に、表示画像が第２方向に移動した際には、第１画像処理部が、表示画像の移動に関する情報、第１分割画像のデータ及び第２シフト画像のデータに基づいて第１表示画像を生成する。また、この際、第２画像処理部が、表示画像の移動に関する情報及び第２分割画像のデータに基づいて第２表示画像を生成する。そして、第１画像処理部及び第２画像処理部でそれぞれ生成された第１表示画像及び第２表示画像を、表示画面の第１表示領域及び第２表示領域にそれぞれ表示する。
【００１７】
本発明では、入力画像の分割画像データを並列処理する画像表示装置において、表示画面を表示画面に対して移動させた際に、所定の表示領域からそれに隣接する他の表示領域に移動する領域の画像（シフト画像）のデータを第１及び第２画像処理部間で送受信する。これにより、表示画像を表示画面に対してシフトさせても、シフト後の表示画面では２つの表示領域間の境界で連続的に繋がった画像を表示することができる。
【発明の効果】
【００１８】
本発明では、上述のように、入力画像を分割して得られる分割画像データを並列処理する画像表示装置において、表示画像を表示画面に対して移動させた際にも、表示領域間の境界で画像が連続的に繋がった状態で表示される。すなわち、本発明では、表示画面内で表示画像をスクロールしても、表示領域間の境界における画像の連続性を維持しながら画像表示を行うことができる。
【００１９】
それゆえ、本発明によれば、表示画面の縦及び／又は横の表示サイズより縦及び／又は横のサイズが大きい画像が入力されても、入力画像の全体を表示画面で確認することができる。
【図面の簡単な説明】
【００２０】
【図１】図１は、本発明の一実施形態に係る画像表示装置の表示画面の構成を示す図である。
【図２】図２は、本発明の一実施形態に係る画像表示装置で表示する入力画像の原画像の構成を示す図である。
【図３】図３は、本発明の一実施形態に係る画像表示装置で表示する入力画像の構成を示す図である。
【図４】図４は、本発明の一実施形態に係る画像表示装置の概略ブロック構成図である。
【図５】図５は、本発明の一実施形態に係る画像表示装置のより詳細なブロック構成図である。
【図６】図６は、分割画像のデータの領域と、分割画像のデータが入力される画像処理部との対応関係を示す図である。
【図７】図７は、画像処理部から出力される分割表示画像のデータと、分割表示画像のデータが表示される表示領域との対応関係を示す図である。
【図８】図８は、第１画像処理部及び第２画像処理部の内部構成を示す図である。
【図９】図９は、第３画像処理部及び第４画像処理部の内部構成を示す図である。
【図１０】図１０は、表示画像のシフト量が零である場合の画像表示例である。
【図１１】図１１は、表示画像のシフト量が零でない場合の画像表示例である。
【図１２】図１２は、表示画像のシフト量が零でない場合の画像表示例である。
【図１３】図１３は、本発明の一実施形態に係る画像表示装置における画像の表示処理の手順を示すフローチャートである。
【発明を実施するための形態】
【００２１】
以下に、本発明の実施形態に係る画像表示装置の構成例を、図面を参照しながら以下の順で説明する。ただし、本発明は、以下に説明する例に限定されるものではない。
１．画像表示装置の構成
２．画像処理部の構成
３．信号処理部の動作及び画像の表示動作
４．画像表示装置の表示処理動作の手順
【００２２】
［１．画像表示装置の構成］
まず、本発明の一実施形態に係る画像表示装置の構成について説明する前に、本実施形態の画像表示装置で用いる表示画面の表示サイズ（画面解像度）及び入力画像のサイズ（画素数）について説明する。なお、表示画面の表示サイズ及び入力画像のサイズ、並びに、両者の組み合わせは、以下に説明する例に限定されない。
【００２３】
図１に、本実施形態の画像表示装置における表示画面の構成を示す。本実施形態では、表示画面３０全体の表示サイズを３８４０ピクセル×２１６０ピクセルとする。そして、本実施形態では、表示画面３０を２×２の４つの表示領域に等分割し、各表示領域３１〜３４（第１表示領域３１〜第４表示領域３４）に表示する画像（以下、分割表示画像という）のデータを互いに独立して信号処理する例を説明する。すなわち、本実施形態の画像表示装置では、各表示領域に表示する１９２０ピクセル×１０８０ピクセルの分割表示画像のデータを互いに独立して信号処理する。
【００２４】
図２に、入力画像の原画像の構成を示す。本実施形態では、入力画像の原画像１００のサイズが４０９６ピクセル×２０４８ピクセルである例を説明する。すなわち、本実施形態では、原画像１００の長手方向（図２上では横方向）のサイズが表示画面３０のそれ（３８４０ピクセル）より大きい場合について説明する。
【００２５】
なお、本実施形態の例では、入力画像の原画像１００の短手方向（図２上では縦方向）のサイズ（２０４８ピクセル）が、表示画面３０のそれ（２１６０ピクセル）より小さい。それゆえ、本実施形態の画像表示装置に実際に入力する画像では、原画像１００の上下端（長辺部上）にフチ（帯）を設け、入力画像１０１の端手方向のサイズと、表示画面３０のそれとを同じにする。図３に、その一例を示す。本実施形態では、図３に示すように、原画像１００の２つ長辺部上にそれぞれ幅５６ピクセルのフチ１０２を設けて、４０９６ピクセル×２１６０ピクセルのサイズを有する画像を入力画像１０１として用いる。
【００２６】
次に、本実施形態の画像表示装置の構成を、図４及び５を参照しながら説明する。なお、図４は、本実施形態の画像表示装置の概略ブロック構成図であり、図５は、図４中の信号処理部２の構成をより詳細に示したブロック構成図である。なお、本実施形態で説明する画像表示装置は、例えばコンピュータ装置、ビデオプレイヤー、ビデオレコーダ等で用いられるディスプレイである。
【００２７】
画像表示装置１０は、入力部１と、信号処理部２と、表示部３と、制御部４とを備える。入力部１、信号処理部２及び表示部３は、入力画像１０１の入力側から、この順で、直列に接続される。また、制御部４の入力端子は、外部機器（例えばパーソナルコンピュータ等）の操作部１１（例えばキーボード、ポインティングデバイス等）に接続されており、出力端子は信号処理部２に接続される。
【００２８】
入力部１は、外部から入力された入力画像１０１を２×２の領域に等分割して４つの分割画像（第１分割画像〜第４分割画像）を生成する。そして、入力部１は、生成した第１分割画像〜第４分割画像のデータを信号処理部２内の対応する後述の第１画像処理部２１〜第４画像処理部２４にそれぞれ並列に出力する。なお、本実施形態では、４つの分割画像（２０４８ピクセル×１０８０ピクセル）のデータを生成して出力する入力部１を備える構成とするが、本発明はこれに限定されない。外部から予め複数の分割画像のデータが画像表示装置１０に入力される場合には、入力部１は設けなくてもよい。
【００２９】
信号処理部２は、図５に示すように、第１画像処理部２１〜第４画像処理部２４で構成される。各画像処理部は、入力された分割画像のデータを記憶する。その様子を、図６に示す。図６は、入力部１から信号処理部２に入力される各分割画像のデータと、それを記憶する各画像処理部との対応関係を示す図である。本実施形態では、入力部１で等分割された第１分割画像１０１ａ〜第４分割画像１０１ｄ（２０４８ピクセル×１０８０ピクセル）のデータが、それぞれ、第１画像処理部２１〜第４画像処理部２４に入力される。そして、第１画像処理部２１〜第４画像処理部２４は、それぞれ、入力された第１分割画像１０１ａ〜第４分割画像１０１ｄのデータを記憶する。
【００３０】
なお、図６に示す例では、図６面上で、入力画像１０１の左上領域の第１分割画像１０１ａのデータを第１画像処理部２１に入力し、右上領域の第２分割画像１０１ｂのデータを第２画像処理部２２に入力する。また、図６に示す例では、図６面上で、入力画像１０１の左下領域の第３分割画像１０１ｃのデータを第３画像処理部２３に入力し、右下領域の第４分割画像１０１ｄのデータを第４画像処理部２４に入力する。
【００３１】
また、信号処理部２は、操作部１１の操作に基づいて制御部４から入力される制御信号により、入力された４つの分割画像（２０４８ピクセル×１０８０ピクセル）のデータからそれぞれ４つの分割表示画像（１９２０ピクセル×１０８０ピクセル）を生成する。そして、信号処理部２は、その生成した４つの分割表示画像のデータを表示部３に出力する。具体的には、第１画像処理部２１〜第４画像処理部２４が、それぞれ生成した第１分割表示画像〜第４分割表示画像のデータを表示部３に出力する。
【００３２】
また、信号処理部２内の第１画像処理部２１及び第２画像処理部２２は、画像データを互いに送受信することができ、表示画像を操作部１１の所定操作によりシフトさせた際には、そのシフト領域の画像（シフト画像）のデータを両者間で送受信する。さらに、信号処理部２内の第３画像処理部２３及び第４画像処理部２４間においても、シフト画像のデータを互いに送受信することができ、表示画像を操作部１１の所定操作によりシフトさせた際には、シフト画像のデータを両者間で送受信する。これにより、表示画面３０の表示サイズより大きなサイズを有する画像が入力されても、表示画像を表示画面３０に対してシフト（スクロール）して画像全体を確認することができる。なお、各画像処理部の構成及び動作については、後で詳述する。
【００３３】
表示部３は、例えば、所定の表示サイズの表示画面３０を有する表示パネル等で構成される。なお、表示パネルとしては、例えば液晶（ＬＣＤ：Liquid Crystal Display）パネル等を用いることができる。また、表示部３は、信号処理部２から入力された４つの分割表示画像のデータを表示画面３０内の対応する４つの表示領域にそれぞれ表示する。
【００３４】
図７に、第１画像処理部２１〜第４画像処理部２４から表示部３に入力される４つの分割表示画像（第１分割表示画像１０３ａ〜第４分割表示画像１０３ｄ）のデータと、それらが表示される表示画面３０内の４つの表示領域との関係を示す。本実施形態では、第１分割表示画像１０３ａ〜第４分割表示画像１０３ｄは、表示画面３０内の左上領域３１（第１表示領域）、右上領域３２（第２表示領域）、左下領域３３（第３表示領域）、及び右下領域３４（第４表示領域）にそれぞれ表示される。
【００３５】
制御部４は、例えばＣＰＵ（Central Processing Unit）等の演算制御装置で構成され、画像表示装置１０の各部の処理及び動作を制御する。また、制御部４は、図５に示すように、信号処理部２内の第１画像処理部２１〜第４画像処理部２４に接続され、第１画像処理部２１〜第４画像処理部２４の動作を制御する。
【００３６】
具体的には、制御部４は、例えば、上述した信号処理部２内の第１画像処理部２１及び第２画像処理部２２間、並びに、第３画像処理部２３及び第４画像処理部２４間におけるシフト画像のデータの送受信動作等を制御する。また、表示画像を操作部１１の所定操作によりシフトさせた際に、制御部４は、例えば表示画像のシフト量（移動量）、シフト方向（移動方向）等の情報（表示画像の移動に関する情報）を第１画像処理部２１〜第４画像処理部２４に出力する。そして、制御部４は、第１画像処理部２１〜第４画像処理部２４における第１分割表示画像１０３ａ〜第４分割表示画像１０３ｄの各生成動作を制御する。なお、表示画像の移動に関する情報としては、表示画像のシフト量及びシフト方向に限定されず、表示画像のシフトを表す情報（パラメータ）であれば、任意の情報を用いることができる。
【００３７】
［２．画像処理部の構成］
次に、各画像処理部内の構成を、図８及び９を参照しながら説明する。なお、図８は、第１画像処理部２１及び第２画像処理部２２の概略ブロック構成図であり、図９は、第３画像処理部２３及び第４画像処理部２４の概略ブロック構成図である。
【００３８】
第１画像処理部２１は、図８に示すように、第１送信画像生成部２１１と、第１送信部２１２と、第１受信部２１３と、第１表示画像生成部２１４とを備える。
【００３９】
第１送信画像生成部２１１は、ユーザが操作部１１により表示画像を表示画面３０に対して第１表示領域３１から第２表示領域３２に向かう方向にシフトさせた際に、第１表示領域３１から第２表示領域３２に移動する領域のシフト画像のデータを生成する。この際、第１送信画像生成部２１１は、入力される第１分割画像１０１ａのデータからシフト画像（第１シフト画像）のデータを抽出して（切り出して）、シフト画像のデータを生成する。なお、このシフト画像のデータの抽出は、操作部１１から制御部４を介して入力される表示画像のシフト量及びシフト方向の情報に基づいて行う。そして、第１送信画像生成部２１１は、生成したシフト画像のデータを第１送信部２１２に出力する。
【００４０】
第１送信部２１２は、第１送信画像生成部２１１で生成したシフト画像のデータを第２画像処理部２２の第２受信部２２３に送信（出力）する。
【００４１】
第１受信部２１３は、ユーザが操作部１１により表示画像を表示画面３０に対して第２表示領域３２から第１表示領域３１に向かう方向にシフトさせた際に、シフト画像（第２シフト画像）のデータを第２画像処理部２２の第２送信部２２２から受信（取得）する。なお、この際、第１受信部２１３で受信するシフト画像のデータは、第２表示領域３２から第１表示領域３１に移動する領域のシフト画像のデータである。そして、第１受信部２１３は、取得したシフト画像のデータを第１表示画像生成部２１４に出力する。
【００４２】
第１表示画像生成部２１４は、メモリを備えており、入力部１から入力される第１分割画像１０１ａ（２０４８ピクセル×１０８０ピクセル）のデータを記憶する。また、第１表示画像生成部２１４には、操作部１１から制御部４を介して入力される表示画像のシフト量及びシフト方向の情報が入力される。さらに、表示画像が表示画面３０に対して第２表示領域３２から第１表示領域３１に向かう方向にシフトした際には、第１表示画像生成部２１４には、第２表示領域３２から第１表示領域３１に移動する領域のシフト画像のデータが第１受信部２１３から入力される。
【００４３】
また、第１表示画像生成部２１４は、演算機能を有し、入力される上述の種々のデータ及び情報等に基づいて、表示画面３０内の第１表示領域３１に表示する第１分割表示画像１０３ａ（１９２０ピクセル×１０８０ピクセル）を生成する。この第１分割表示画像１０３ａ（第１表示画像）の生成手法については、後で詳述する。そして、第１表示画像生成部２１４は、生成した第１分割表示画像１０３ａのデータを表示部３に出力する。
【００４４】
第２画像処理部２２は、図８に示すように、第２送信画像生成部２２１と、第２送信部２２２と、第２受信部２２３と、第２表示画像生成部２２４とを備える。
【００４５】
第２送信画像生成部２２１は、ユーザが操作部１１により表示画像を表示画面３０に対して第２表示領域３２から第１表示領域３１に向かう方向にシフトさせた際に、第２表示領域３２から第１表示領域３１に移動する領域のシフト画像のデータを生成する。この際、第２送信画像生成部２２１は、入力される第２分割画像１０１ｂのデータからシフト画像（第２シフト画像）のデータを抽出して、シフト画像のデータを生成する。なお、このシフト画像のデータの抽出は、操作部１１から制御部４を介して入力される表示画像のシフト量及びシフト方向の情報に基づいて行う。そして、第２送信画像生成部２２１は、生成したシフト画像のデータを第２送信部２２２に出力する。
【００４６】
第２送信部２２２は、第２送信画像生成部２２１で生成したシフト画像のデータを第１画像処理部２１の第１受信部２１３に送信（出力）する。
【００４７】
第２受信部２２３は、ユーザが操作部１１により表示画像を表示画面３０に対して第１表示領域３１から第２表示領域３２に向かう方向にシフトさせた際に、シフト画像（第１シフト画像）のデータを第１画像処理部２１の第１送信部２１２から受信（取得）する。なお、この際、第２受信部２２３で受信するシフト画像のデータは、第１表示領域３１から第２表示領域３２に移動する領域のシフト画像のデータである。そして、第２受信部２２３は、取得したシフト画像のデータを第２表示画像生成部２２４に出力する。
【００４８】
第２表示画像生成部２２４は、メモリを備えており、入力部１から入力される第２分割画像１０１ｂ（２０４８ピクセル×１０８０ピクセル）のデータを記憶する。また、第２表示画像生成部２２４には、操作部１１から制御部４を介して入力される表示画像のシフト量及びシフト方向の情報が入力される。さらに、表示画像が表示画面３０に対して第１表示領域３１から第２表示領域３２に向かう方向にシフトした際には、第２表示画像生成部２２４には、第１表示領域３１から第２表示領域３２に移動する領域のシフト画像のデータが第２受信部２２３から入力される。
【００４９】
また、第２表示画像生成部２２４は、演算機能を有し、入力される上述の種々のデータ及び情報等に基づいて、表示画面３０内の第２表示領域３２に表示する第２分割表示画像１０３ｂ（１９２０ピクセル×１０８０ピクセル）を生成する。この第２分割表示画像１０３ｂ（第２表示画像）の生成手法については、後で詳述する。そして、第２表示画像生成部２２４は、生成した第２分割表示画像１０３ｂを表示部３に出力する。
【００５０】
第３画像処理部２３は、図９に示すように、第３送信画像生成部２３１と、第３送信部２３２と、第３受信部２３３と、第３表示画像生成部２３４とを備える。なお、第３画像処理部２３を構成する各部は、第１画像処理部２１内の対応する各部と同じ構成である。ただし、第３画像処理部２３には、入力部１から第３分割画像１０１ｃ（２０４８ピクセル×１０８０ピクセル）のデータが入力される。そして、第３画像処理部２３は、生成した第３分割表示画像１０３ｃ（第３表示画像）を表示部３に出力する。
【００５１】
また、第４画像処理部２４は、図９に示すように、第４送信画像生成部２４１と、第４送信部２４２と、第４受信部２４３と、第４表示画像生成部２４４とを備える。なお、第４画像処理部２４を構成する各部は、第２画像処理部２２内の対応する各部と同じ構成である。ただし、第４画像処理部２４には、入力部１から第４分割画像１０１ｄ（２０４８ピクセル×１０８０ピクセル）のデータが入力される。そして、第４画像処理部２４は、生成した第４分割表示画像１０３ｄ（第４表示画像）を表示部３に出力する。
【００５２】
さらに、第３画像処理部２３及び第４画像処理部２４間では、表示画像が表示画面３０に対して第１表示領域３１から第２表示領域３２に向かう方向にシフトした際、第３表示領域３３から第４表示領域３４に移動する領域のシフト画像のデータを送受信する。逆に表示画像が表示画面３０に対して第２表示領域３２から第１表示領域３１に向かう方向にシフトした際には、第４表示領域３４から第３表示領域３３に移動する領域のシフト画像のデータを第３画像処理部２３及び第４画像処理部２４間で送受信する。
【００５３】
すなわち、第３画像処理部２３及び第４画像処理部２４の構成は、入出力データ及び送受信データが異なること以外は、それぞれ第１画像処理部２１及び第２画像処理部２２の構成と同様である。
【００５４】
上記実施形態では、送信画像生成部及び表示画像生成部間でシフト画像のデータを送受信する際、送信部及び受信部を介して送受信する構成例を説明したが、本発明はこれに限定されない。例えば、送信画像生成部及び表示画像生成部間で、直接、シフト画像のデータを送受信する構成にしてもよい。
【００５５】
また、上記実施形態では、各画像処理部内において、送信画像生成部及び表示画像生成部を別個に設ける例を説明したが、本発明はこれに限定されず、両者が一体的に構成されていてもよい。
【００５６】
なお、本実施形態では、表示画像のシフト量＝０の場合には、各画像処理部内の送信画像生成部、送信部及び受信部には電力を供給せず、これらが動作しない構成にすることが好ましい。この場合、消費電力をより低減することができる。
【００５７】
さらに、本実施形態では、表示部３内の表示パネルに合わせて入力画像を補正する必要がある場合には、送信画像生成部及び表示画像生成部間でシフト画像のデータを送受信する際に、そのシフト画像の補正データも一緒に送受信することが好ましい。
【００５８】
［３．信号処理部の動作及び画像の表示動作］
次に、ユーザが操作部１１を用いて表示画像を表示画面３０に対してシフトさせた際の各画像処理部の動作を、図１０〜１２を参照しながら、より具体的に説明する。
【００５９】
なお、図１０は、表示画像を表示画面３０に対してシフトさせない場合（シフト量＝０ピクセルの場合）の画像の一表示形態を示す図である。また、図１１及び１２は、表示画像を表示画面３０に対してシフトさせた場合の画像の一表示形態を示す図である。ただし、図１０〜１２において、表示画像の左右両端にグレーで示すハッチング領域は、表示画面３０に映りこまない領域である。また、以下の動作説明で示す各部及び各種データの符号は、図４〜９に示す画像表示装置１０の各部及び各種データの符号である。
【００６０】
（１）表示画像をシフトさせない場合（シフト量＝０ピクセルの場合）の動作。
第１画像処理部２１の第１表示画像生成部２１４は、入力された第１分割画像１０１ａ（２０４８ピクセル×１０８０ピクセル）のデータから、そのデータ内の第２表示領域３２側の端部の画像データを基準にして所定サイズの第１分割表示画像１０３ａを生成する。そして、第１表示画像生成部２１４は、生成した第１分割表示画像１０３ａ（１９２０ピクセル×１０８０ピクセル）のデータを表示部３に出力する。
【００６１】
第２画像処理部２２の第２表示画像生成部２２４は、入力された第２分割画像１０１ｂのデータから、そのデータ内の第１表示領域３１側の端部に対応する画像データを基準にして、所定サイズの第２分割表示画像１０３ｂを生成する。そして、第２表示画像生成部２２４は、生成した第２分割表示画像１０３ｂのデータを表示部３に出力する。
【００６２】
第３画像処理部２３の第３表示画像生成部２３４は、入力された第３分割画像１０１ｃのデータから、そのデータ内の第４表示領域３４側の端部に対応する画像データを基準にして、所定サイズの第３分割表示画像１０３ｃを生成する。そして、第３表示画像生成部２３４は、生成した第３分割表示画像１０３ｃのデータを表示部３に出力する。
【００６３】
第４画像処理部２４の第４表示画像生成部２４４は、入力された第４分割画像１０１ｄのデータから、そのデータ内の第３表示領域３３側の端部に対応する画像データを基準にして、所定サイズの第４分割表示画像１０３ｄを生成する。そして、第４表示画像生成部２４４は、生成した第４分割表示画像１０３ｄのデータを表示部３に出力する。
【００６４】
そして、表示部３は、信号処理部２から入力された第１分割表示画像１０３ａ〜第４分割表示画像１０３ｄを、表示画面３０内の第１表示領域３１〜第４表示領域３４にそれぞれ表示する。その様子を図１０に示す。この場合には、入力画像１０１の中央部分の画像１０３（３８４０ピクセル×２１６０ピクセル）が表示画面３０に表示される。
【００６５】
（２）表示画像が第１表示領域３１から第２表示領域３２に向かう方向（第１方向）にシフトした場合の動作。
図１１に、第１表示領域３１から第２表示領域３２に向かう方向に表示画像がシフトした場合の表示画像１０４の一表示形態を示す。なお、図１１には、第１表示領域３１から第２表示領域３２に向かう方向（図１１中の白抜き矢印Ａ１）にΔｐ１ピクセルだけ表示画像がシフトした例を示す。なお、図１１中の領域４１は、表示画像をシフトした際に、第１表示領域３１から第２表示領域３２に移動した領域であり、領域４２は、第３表示領域３３から第４表示領域３４に移動した領域である。
【００６６】
まず、第１表示領域３１から第２表示領域３２に向かう方向に表示画像がシフトした場合における第１画像処理部２１及び第２画像処理部２２の動作を説明する。
【００６７】
第１画像処理部２１の第１表示画像生成部２１４は、制御部４から入力される表示画像１０４のシフト量及びシフト方向の情報に基づいて、第１分割画像１０１ａ内において、シフト後に第２表示領域３２側の端部となる位置を算出する。そして、第１表示画像生成部２１４は、その算出した位置の画像データを基準として、第１分割画像１０１ａから所定サイズ（１９２０ピクセル×１０８０ピクセル）の第１分割表示画像１０３ａを生成（抽出）する。より具体的には、第１表示画像生成部２１４は、シフト後に図１１中のセンターラインＬに隣接する位置の第１分割画像１０１ａ内の画像データを算出し、その画像データを基準にして、所定サイズの第１分割表示画像１０３ａを第１分割画像１０１ａから抽出する。そして、第１表示画像生成部２１４は、生成した第１分割表示画像１０３ａのデータを表示部３に出力する。
【００６８】
また、この場合、第１表示領域３１から第２表示領域３２に移動する領域４１のシフト画像（第１シフト画像）のデータは、第２画像処理部２２に入力される第２分割画像１０１ｂのデータに含まれない。それゆえ、本実施形態では、表示領域の境界における表示画像１０４の連続性を維持するために、第１画像処理部２１から第２画像処理部２２に領域４１のシフト画像のデータを送信する。
【００６９】
具体的には、第１画像処理部２１の第１送信画像生成部２１１は、制御部４から入力される表示画像１０４のシフト量（Δｐ１）及びシフト方向（矢印Ａ１）の情報に基づいて、領域４１のシフト画像のデータを第１分割画像１０１ａのデータから生成（抽出）する。そして、第１送信画像生成部２１１は、生成した領域４１のシフト画像のデータを、第１送信部２１２を介して、第２画像処理部２２の第２受信部２２３に送信（出力）する。
【００７０】
一方、第２画像処理部２２の第２受信部２２３は、第１画像処理部２１から送信される領域４１のシフト画像（第１シフト画像）のデータを受信（取得）する。そして、第２受信部２２３は、取得した領域４１のシフト画像のデータを第２表示画像生成部２２４に出力する。
【００７１】
次いで、第２画像処理部２２の第２表示画像生成部２２４は、入力された領域４１のシフト画像のデータと、入力部１から入力された第２分割画像１０１ｂのデータとを合成する。この際、第２表示画像生成部２２４は、領域４１のシフト画像内の第２表示領域３２側の端部画像と、第２分割画像１０１ｂ内の第１表示領域３１側の端部画像とが連続的に繋がるように合成する。
【００７２】
そして、第２画像処理部２２の第２表示画像生成部２２４は、合成された分割画像内の第１表示領域３１側の端部に対応する画像データを基準にして、合成された分割画像から所定サイズの第２分割表示画像１０３ｂを生成（抽出）する。そして、第２表示画像生成部２２４は、生成した第２分割表示画像１０３ｂのデータを表示部３に出力する。
【００７３】
次に、表示画像が第１表示領域３１から第２表示領域３２に向かう方向にシフトした場合における第３画像処理部２３及び第４画像処理部２４の動作を説明する。
【００７４】
第３画像処理部２３の第３表示画像生成部２３４は、制御部４から入力される表示画像１０４のシフト量及びシフト方向の情報に基づいて、第３分割画像１０１ｃ内において、シフト後に第４表示領域３４側の端部となる位置を算出する。そして、第３表示画像生成部２３４は、その算出した位置の画像データを基準として、第３分割画像１０１ｃから所定サイズ（１９２０ピクセル×１０８０ピクセル）の第３分割表示画像１０３ｃを生成（抽出）する。より具体的には、第３表示画像生成部２３４は、シフト後に図１１中のセンターラインＬに隣接する位置の第３分割画像１０１ｃ内の画像データを算出し、その画像データを基準にして、所定サイズの第３分割表示画像１０３ｃを抽出する。そして、第３表示画像生成部２３４は、生成した第３分割表示画像１０３ｃのデータを表示部３に出力する。
【００７５】
また、この場合、第３表示領域３３から第４表示領域３４に移動する領域４２のシフト画像（第３シフト画像）のデータは、第４画像処理部２４に入力される第４分割画像１０１ｄのデータに含まれない。それゆえ、本実施形態では、表示領域の境界における表示画像１０４の連続性を維持するために、第３画像処理部２３から第４画像処理部２４に領域４２のシフト画像のデータを送信する。
【００７６】
具体的には、第３画像処理部２３の第３送信画像生成部２３１は、制御部４から入力される表示画像１０４のシフト量（Δｐ１）及びシフト方向（矢印Ａ１）の情報に基づいて、領域４２のシフト画像のデータを第３分割画像１０１ｃのデータから生成（抽出）する。そして、第３送信画像生成部２３１は、生成した領域４２のシフト画像のデータを、第３送信部２３２を介して、第４画像処理部２４の第４受信部２４３に送信（出力）する。
【００７７】
一方、第４画像処理部２４の第４受信部２４３は、第３画像処理部２３から送信される領域４２のシフト画像（第３シフト画像）のデータを受信（取得）する。そして、第４受信部２４３は、取得した領域４２のシフト画像のデータを第４表示画像生成部２４４に出力する。
【００７８】
次いで、第４画像処理部２４の第４表示画像生成部２４４は、入力された領域４２のシフト画像のデータと、入力部１から入力された第４分割画像１０１ｄのデータとを合成する。この際、第４表示画像生成部２４４は、領域４２のシフト画像内の第４表示領域３４側の端部画像と、第４分割画像１０１ｄ内の第３表示領域３３側の端部画像とが連続的に繋がるように合成する。
【００７９】
そして、第４画像処理部２４の第４表示画像生成部２４４は、合成された分割画像内の第３表示領域３３側の端部に対応する画像データを基準にして、合成された分割画像から所定サイズの第４分割表示画像１０３ｄを生成（抽出）する。そして、第４表示画像生成部２４４は、生成した第４分割表示画像１０３ｄのデータを表示部３に出力する。
【００８０】
本実施形態では、第１表示領域３１から第２表示領域３２に向かう方向に表示画像がシフトした場合、第１画像処理部２１〜第４画像処理部２４は、上述のようにしてそれぞれ独立に動作して第１分割表示画像１０３ａ〜第４分割表示画像１０３ｄを生成する。そして、表示部３は、信号処理部２で生成された第１分割表示画像１０３ａ〜第４分割表示画像１０３ｄを、表示画面３０内の第１表示領域３１〜第４表示領域３４にそれぞれ表示する。
【００８１】
上述のように各画像処理部が動作することにより、表示画像を表示画面３０に対して第１表示領域３１から第２表示領域３２に向かう方向にシフトさせても、表示画面３０内の表示領域間の境界において画像が連続的に繋がった表示画像１０４を得ることができる。
【００８２】
（３）表示画像が第２表示領域３２から第１表示領域３１に向かう方向（第２方向）にシフトした場合の動作。
図１２に、第２表示領域３２から第１表示領域３１に向かう方向に表示画像がシフトした場合の表示画像１０５の一表示形態を示す。なお、図１２には、第２表示領域３２から第１表示領域３１に向かう方向（図１２中の白抜き矢印Ａ２）にΔｐ２ピクセルだけ表示画像がシフトした例を示す。なお、図１２中の領域４３は、表示画像をシフトした際に、第２表示領域３２から第１表示領域３１に移動した領域であり、領域４４は、第４表示領域３４から第３表示領域３３に移動した領域である。
【００８３】
まず、第２表示領域３２から第１表示領域３１に向かう方向に表示画像がシフトした場合における第１画像処理部２１及び第２画像処理部２２の動作を説明する。
【００８４】
第２画像処理部２２の第２表示画像生成部２２４は、制御部４から入力される表示画像１０５のシフト量及びシフト方向の情報に基づいて、第２分割画像１０１ｂ内において、シフト後に第１表示領域３１側の端部となる位置を算出する。そして、第２表示画像生成部２２４は、その算出した位置の画像データを基準として、第２分割画像１０１ｂから所定サイズ（１９２０ピクセル×１０８０ピクセル）の第２分割表示画像１０３ｂを生成（抽出）する。より具体的には、第２表示画像生成部２２４は、シフト後に図１２中のセンターラインＬに隣接する位置の第２分割画像１０１ｂ内の画像データを算出し、その画像データを基準にして、所定サイズの第２分割表示画像１０３ｂを第２分割画像１０１ｂから抽出する。そして、第２表示画像生成部２２４は、生成した第２分割表示画像１０３ｂのデータを表示部３に出力する。
【００８５】
また、この場合、第２表示領域３２から第１表示領域３１に移動する領域４３のシフト画像（第２シフト画像）のデータは、第１画像処理部２１に入力される第１分割画像１０１ａのデータに含まれない。それゆえ、本実施形態では、表示領域の境界における表示画像１０５の連続性を維持するために、第２画像処理部２２から第１画像処理部２１に領域４３のシフト画像のデータを送信する。
【００８６】
具体的には、第２画像処理部２２の第２送信画像生成部２２１は、制御部４から入力される表示画像１０５のシフト量（Δｐ２）及びシフト方向（矢印Ａ２）の情報に基づいて、領域４３のシフト画像のデータを第２分割画像１０１ｂのデータから生成（抽出）する。そして、第２送信画像生成部２２１は、生成した領域４３のシフト画像のデータを、第２送信部２２２を介して、第１画像処理部２１の第１受信部２１３に送信（出力）する。
【００８７】
一方、第１画像処理部２１の第１受信部２１３は、第２画像処理部２２から送信される領域４３のシフト画像（第２シフト画像）のデータを受信（取得）する。そして、第１受信部２１３は、取得した領域４３のシフト画像のデータを第１表示画像生成部２１４に出力する。
【００８８】
次いで、第１画像処理部２１の第１表示画像生成部２１４は、入力された領域４３のシフト画像のデータと、入力部１から入力された第１分割画像１０１ａのデータとを合成する。この際、第１表示画像生成部２１４は、領域４３のシフト画像内の第１表示領域３１側の端部画像と、第１分割画像１０１ａ内の第１表示領域３１側の端部画像とが連続的に繋がるように合成する。
【００８９】
そして、第１画像処理部２１の第１表示画像生成部２１４は、合成された分割画像内の第２表示領域３２側の端部に対応する画像データを基準にして、合成された分割画像から所定サイズの第１分割表示画像１０３ａを生成（抽出）する。そして、第１表示画像生成部２１４は、生成した第１分割表示画像１０３ａのデータを表示部３に出力する。
【００９０】
次に、第２表示領域３２から第１表示領域３１に向かう方向に表示画像がシフトした場合における第３画像処理部２３及び第４画像処理部２４の動作を説明する。
【００９１】
第４画像処理部２４の第４表示画像生成部２４４は、制御部４から入力される表示画像１０５のシフト量及びシフト方向の情報に基づいて、第４分割画像１０１ｄ内において、シフト後に第３表示領域３３側の端部となる位置を算出する。そして、第４表示画像生成部２４４は、その算出した位置の画像データを基準として、第４分割画像１０１ｄから所定サイズ（１９２０ピクセル×１０８０ピクセル）の第４分割表示画像１０３ｄを生成（抽出）する。より具体的には、第４表示画像生成部２４４は、シフト後に図１２中のセンターラインＬに隣接する位置の第４分割画像１０１ｄ内の画像データを算出し、その画像データを基準にして、所定サイズの第４分割表示画像１０３ｄを生成する。そして、第４表示画像生成部２４４は、生成した第４分割表示画像１０３ｄのデータを表示部３に出力する。
【００９２】
また、この場合、第４表示領域３４から第３表示領域３３に移動する領域４４のシフト画像（第４シフト画像）のデータは、第３画像処理部２３に入力される第３分割画像１０１ｃのデータに含まれない。それゆえ、本実施形態では、表示領域の境界における表示画像１０５の連続性を維持するために、第４画像処理部２４から第３画像処理部２３に領域４４のシフト画像のデータを送信する。
【００９３】
具体的には、第４画像処理部２４の第４送信画像生成部２４１は、制御部４から入力される表示画像１０５のシフト量（Δｐ２）及びシフト方向（矢印Ａ２）の情報に基づいて、領域４４のシフト画像のデータを第４分割画像１０１ｄのデータから生成（抽出）する。そして、第４送信画像生成部２４１は、生成した領域４４のシフト画像のデータを、第４送信部２４２を介して、第３画像処理部２３の第３受信部２３３に送信（出力）する。
【００９４】
一方、第３画像処理部２３の第３受信部２３３は、第４画像処理部２４から送信される領域４４のシフト画像（第４シフト画像）のデータを受信（取得）する。そして、第３受信部２３３は、取得した領域４４のシフト画像のデータを第３表示画像生成部２３４に出力する。
【００９５】
次いで、第３画像処理部２３の第３表示画像生成部２３４は、入力された領域４４のシフト画像のデータと、入力部１から入力された第３分割画像１０１ｃのデータとを合成する。この際、第３表示画像生成部２３４は、領域４４のシフト画像内の第３表示領域３３側の端部画像と、第３分割画像１０１ｃ内の第４表示領域３４側の端部画像とが連続的に繋がるように合成する。
【００９６】
そして、第３画像処理部２３の第３表示画像生成部２３４は、合成された分割画像内の第４表示領域３４側の端部に対応する画像データを基準にして、合成された分割画像から所定サイズの第３分割表示画像１０３ｃを生成（抽出）する。そして、第３表示画像生成部２３４は、生成した第３分割表示画像１０３ｃのデータを表示部３に出力する。
【００９７】
本実施形態では、第２表示領域３２から第１表示領域３１に向かう方向に表示画像がシフトした場合、第１画像処理部２１〜第４画像処理部２４は、上述のようにしてそれぞれ独立に動作して第１分割表示画像１０３ａ〜第４分割表示画像１０３ｄを生成する。そして、表示部３は、信号処理部２で生成された第１分割表示画像１０３ａ〜第４分割表示画像１０３ｄを、表示画面３０内の第１表示領域３１〜第４表示領域３４にそれぞれ表示する。
【００９８】
上述のように各画像処理部が動作することにより、表示画像を表示画面３０に対して第２表示領域３２から第１表示領域３１に向かう方向にシフトさせても、表示画面３０内の表示領域間の境界において画像が連続的に繋がった表示画像１０５を得ることができる。
【００９９】
本実施形態では、表示画像が表示画面３０に対してシフトした際には、上述のようにして、第１画像処理部２１及び第２画像処理部２２間、並びに、第３画像処理部２３及び第４画像処理部２４間において、互いにシフト画像のデータを送受信する。これにより、表示画面３０内で表示画像をスクロールしても、表示領域間の境界で画像が連続的に繋がった表示画像を得ることができる。
【０１００】
［４．画像表示装置の表示処理動作の手順］
次に、本実施形態の画像表示装置１０における画像表示の具体的な処理手順を、図１３を参照しながら説明する。なお、図１３は、本実施形態の画像表示装置１０における画像表示処理の手順を示すフローチャートである。
【０１０１】
まず、入力画像１０１が入力部１に入力されると、入力部１は、入力画像１０１の分割画像（第１分割画像１０１ａ〜第４分割画像１０１ｄ）を生成する。そして、入力部１は、生成した第１分割画像１０１ａ〜第４分割画像１０１ｄのデータを信号処理部２内の対応する第１画像処理部２１〜第４画像処理部２４にそれぞれ並列に入力する（ステップＳ１）。
【０１０２】
次いで、制御部４は、表示画像がシフトされたか否かを判定する（ステップＳ２）。具体的には、表示画像のシフト量＝０であるか否かを判定する。なお、ここでいう表示画像のシフト量＝０の状態とは、図１０に示すように、入力画像１０１の中央部分が表示画面３０に表示されている状態をいう。
【０１０３】
表示画像がシフトされていない場合、シフト量＝０であるので、ステップＳ２はＹＥＳ判定となる。この場合には、画像処理部間でシフト画像のデータの送受信は行わず、上述した動作原理に従って、各画像処理部は、対応する分割表示画像を生成し、その分割表示画像のデータを表示部３に出力する（ステップＳ５）。そして、表示部３は、各画像処理部から入力された各分割表示画像を対応する各表示領域に表示する（ステップＳ６）。
【０１０４】
一方、例えばユーザが外部機器の操作部１１を用いて表示画像を表示画面３０に対してシフトする操作を行った場合、その操作信号とともに表示画像のシフト量及びシフトが制御部４に入力される。この場合には、表示画像のシフト量≠０となり、ステップＳ２はＮＯ判定となる。
【０１０５】
この場合、制御部４は、信号処理部２内の各画像処理部に表示画像のシフト量及びシフト方向に関する情報を出力する（ステップＳ３）。次いで、各画像処理部は、表示画像のシフト量及びシフトに関する情報に基づいて、画像処理部間でシフト画像のデータを送受信する（ステップＳ４）。具体的には、第１画像処理部２１及び第２画像処理部２２間、並びに、第３画像処理部２３及び第４画像処理部２４間において、それぞれ所定のシフト画像のデータの送受信を行う。
【０１０６】
次いで、各画像処理部は、送受信したシフト画像のデータ、表示画像のシフト量及びシフト方向に関する情報及び入力される分割画像のデータを用い、上述した動作原理に従って、シフト時の分割表示画像をそれぞれ生成する。次いで、各画像処理部は、生成した各分割表示画像のデータを表示部３に出力する（ステップＳ５）。
【０１０７】
そして、表示部３は、各画像処理部から入力された各分割表示画像を対応する各表示領域に表示する（ステップＳ６）。本実施形態の画像表示装置１０では、このようにして、入力画像を表示する。
【０１０８】
上述した画像表示処理により、入力画像の分割画像データを並列処理して表示する画像表示装置１０に、表示画面３０の表示サイズより大きなサイズの画像が入力されても、表示画像をシフトして入力画像１０１の全体を表示画面３０で確認することができる。
【０１０９】
また、本実施形態の画像表示装置１０では、上述のように、低解像度（より小さな表示サイズ）の画像処理部を複数用いて並列処理する。それゆえ、入力画像１０１のサイズに合わせて高解像度（表示サイズのより大きい）の画像処理装置（システム）を新たに構築する必要がなく、より安価な画像表示装置を構築することができる。
【０１１０】
なお、上記実施形態では、入力画像１０１及び表示画面３０を４つの領域に等分割する例を説明したが、本発明はこれに限定されない。入力画像１０１及び表示画面３０の分割数は、例えば入力画像１０１のサイズ（画素数）、表示画面３０の表示サイズ（解像度）、並びに、両者の組み合わせ等に応じて適宜設定される。それゆえ、入力画像１０１及び表示画面３０の分割数が２、または、４以上であっても、本発明は同様に適用可能であり、同様の効果が得られる。また、表示画面３０の各分割表示領域のサイズが互いに異なり、且つ、それに応じて入力画像１０１の各分割画像のサイズが互いに異なっていてもよい。
【０１１１】
また、本実施形態では、入力画像１０１の長手方向（横方向）のサイズ（画素数）が表示画面３０のそれより大きく、入力画像１０１の短手方向（縦方向）のサイズが表示画面３０のそれと同じである例を説明したが、本発明はこれに限定されない。
【０１１２】
例えば、本実施形態では、入力画像の長手方向及び短手方向の両サイズが表示画面３０のそれらより大きくてもよい。この場合には、入力画像全体を表示画面３０で確認するためには、表示画像を表示画面３０に対して、横方向のみならず縦方向にもシフト可能にする必要がある。
【０１１３】
この場合、例えば、本実施形態の画像表示装置１０（図４）において、さらに、第１画像処理部２１及び第３画像処理部２３間、並びに、第２画像処理部２２及び第４画像処理部２４間においても、シフト画像のデータを送受信する構成にすればよい。なお、第１画像処理部２１及び第３画像処理部２３間、並びに、第２画像処理部２２及び第４画像処理部２４間における送受信動作は、上述した例えば第１画像処理部２１及び第２画像処理部２２間の送受信動作と同様にして行うことができる。
【０１１４】
また、例えば、本実施形態では、入力画像の短手方向のサイズのみが表示画面３０のそれより大きくてもよい。この場合には、入力画像全体を表示画面３０で確認するためには、表示画像を表示画面３０に対して、縦方向にシフト可能にする必要がある。この場合には、例えば、本実施形態の画像表示装置１０（図４）において、第１画像処理部２１及び第３画像処理部２３間、並びに、第２画像処理部２２及び第４画像処理部２４間においてのみ、シフト画像のデータを送受信する構成にすればよい。
【０１１５】
さらに、本実施形態では、本発明を、例えばコンピュータ装置、ビデオプレイヤー、ビデオレコーダ等で用いられるディスプレイのように、入力画像の表示処理が主な機能である装置に適用する例を説明したが、本発明はこれに限定されない。入力画像の分割画像データを並列処理して表示する画像処理機能を備える任意の電子機器に適用可能であり、同様の効果が得られる。例えば、図３に示す画像表示装置１０と操作部１１とを含む電子機器等にも本発明は適用可能である。
【符号の説明】
【０１１６】
１…入力部、２…信号処理部、３…表示部、４…制御部、１０…画像表示装置、１１…操作部、２１…第１画像処理部、２２…第２画像処理部、２３…第３画像処理部、２４…第４画像処理部、３０…表示画面、３１…第１表示領域、３２…第２表示領域、３３…第３表示領域、３４…第４表示領域、１０１…入力画像、１０１ａ…第１分割画像、１０１ｂ…第２分割画像、１０１ｃ…第３分割画像、１０１ｄ…第４分割画像、１０３，１０４，１０５…表示画像、１０３ａ…第１分割表示画像、１０３ｂ…第２分割表示画像、１０３ｃ…第３分割表示画像、１０３ｄ…第４分割表示画像、２１１…第１送信画像生成部、２１２…第１送信部、２１３…第１受信部、２１４…第１表示画像生成部、２２１…第２送信画像生成部、２２２…第２送信部、２２３…第２受信部、２２４…第２表示画像生成部、２３１…第３送信画像生成部、２３２…第３送信部、２３３…第３受信部、２３４…第３表示画像生成部、２４１…第４送信画像生成部、２４２…第４送信部、２４３…第４受信部、２４４…第４表示画像生成部
【図１】
2011090210.tif 000003
【図２】
2011090210.tif 000004
【図３】
2011090210.tif 000005
【図４】
2011090210.tif 000006
【図５】
2011090210.tif 000007
【図６】
2011090210.tif 000008
【図７】
2011090210.tif 000009
【図８】
2011090210.tif 000010
【図９】
2011090210.tif 000011
【図１０】
2011090210.tif 000012
【図１１】
2011090210.tif 000013
【図１２】
2011090210.tif 000014
【図１３】
2011090210.tif 000015